(57)【要約】【課題】  特許文献１よりも簡便な回転体と回転軸との締結構造を提供する。【解決手段】  回転体３ａに形成された雌螺子と回転軸４に形成された雄螺子とが螺合し、回転軸４の先端部に形成された周溝５にスナップリング６が弾性嵌合して回転体３ａの端面に当接し、前記周溝５の傾斜した側面５ａに前記スナップリング６の傾斜した端面６ａが当接している。【選択図】  図３
2008138714.tif 000002
【特許請求の範囲】
【請求項１】
回転体に形成された雌螺子と回転軸に形成された雄螺子とが螺合し、回転軸の先端部に形成された周溝にスナップリングが弾性嵌合して回転体の端面に当接し、前記周溝の傾斜した側面に前記スナップリングの傾斜した端面が当接していることを特徴とする回転体と回転軸との締結構造。
【請求項２】
外部駆動源の回転動力を被駆動機器の回転軸に伝達する動力伝達機構であって、請求項１に記載の回転体と回転軸との締結構造を備え、回転体は外部駆動源により回転駆動され、回転軸は被駆動機器の回転軸であることを特徴とする動力伝達機構。
【発明の詳細な説明】
【技術分野】
【０００１】
本発明は、回転体と回転軸との締結構造に関するものである。
【背景技術】
【０００２】
回転体のボス部に形成された雌螺子と回転軸先端近傍部に形成された雄螺子とが螺合し、回転軸先端部に形成された雄螺子とナットとが螺合してナットの座面が回転体のボス部端面に当接し、回転軸先端近傍部に形成された雄螺子の進行方向と回転軸先端部に形成された雄螺子の進行方向とが逆であることを特徴とする回転体と回転軸との締結構造及び当該締結構造を備える動力伝達機構が特許文献１に開示されている。
特許文献１の回転軸との締結構造においては、回転体を駆動する外部駆動源のトルク変動により緩み方向のトルクが回転体に伝達されると、回転体と回転軸先端近傍部との螺合締結部は緩もうとするが、前記螺合締結部とは雄螺子の進行方向が逆のナットと回転軸先端部との螺合締結部は更に締ろうとするので、回転体と回転軸先端近傍部との螺合締結部の緩みが防止される。
【特許文献１】特開２００３−１２０７０６
【発明の開示】
【発明が解決しようとする課題】
【０００３】
本発明は、螺合締結部の緩みを防止することができる、特許文献１よりも簡便な回転体と回転軸との締結構造を提供することを目的とする。
【課題を解決するための手段】
【０００４】
上記課題を解決するために、本発明においては、回転体に形成された雌螺子と回転軸に形成された雄螺子とが螺合し、回転軸の先端部に形成された周溝にスナップリングが弾性嵌合して回転体の端面に当接し、前記周溝の傾斜した側面に前記スナップリングの傾斜した端面が当接していることを特徴とする回転体と回転軸との締結構造を提供する。
本発明に係る回転体と回転軸との締結構造においては、回転体を駆動する外部駆動源のトルク変動により緩み方向のトルクが回転体に伝達され、回転体が緩み方向に移動しようとすると、回転体は自らがスナップリングを介して周溝の傾斜した側面に印加する垂直力により惹起された摩擦力のみならず、スナップリングの弾性力が周溝の傾斜した側面に印加する垂直力により惹起された摩擦力をも移動に対する抵抗力として受けることになる。従って、スナップリングの弾性力を適正値まで高めておけば、螺合締結部の緩みを防止することができる。本発明に係る回転体と回転軸との締結構造は、螺合締結部の緩み防止のために複雑な螺子形成を必要としないので、特許文献１よりも簡便に、回転体と回転軸との締結部の緩みを防止することができる。
【０００５】
本発明においては、外部駆動源の回転動力を被駆動機器の回転軸に伝達する動力伝達機構であって、上記の回転体と回転軸との締結構造を備え、回転体は外部駆動源により回転駆動され、回転軸は被駆動機器の回転軸であることを特徴とする動力伝達機構を提供する。
本発明に係る動力伝達機構においては、回転体を駆動する外部駆動源のトルク変動により緩み方向のトルクが回転体に伝達され、回転体が緩み方向に移動しようとすると、回転体は自らがスナップリングを介して周溝の傾斜した側面に印加する垂直力により惹起された摩擦力のみならず、スナップリングの弾性力が周溝の傾斜した側面に印加する垂直力により惹起された摩擦力をも移動に対する抵抗力として受けることになる。従って、スナップリングの弾性力を適正値まで高めておけば、螺合締結部の緩みを防止することができる。本発明に係る回転体と回転軸との締結構造は、螺合締結部の緩み防止のために複雑な螺子形成を必要としないので、特許文献１よりも簡便に、回転体と回転軸との締結部の緩みを防止することができる。
【発明の効果】
【０００６】
本発明により、螺合締結部の緩みを防止することができる、特許文献１よりも簡便な回転体と回転軸との締結構造が提供される。
【発明を実施するための最良の形態】
【０００７】
本発明の実施例に係る回転体と回転軸との締結構造と当該締結構造を備える動力伝達機構とを説明する。
図１、２に示すように、動力伝達機構は、図示しない無端ベルトを介して図示しない外部駆動源に接続されると共に空調装置用圧縮機のハウジングＡに回転可能に支持された磁性材料製のローター１と、空調装置用圧縮機のハウジングＡに固定され通電によりローター１を磁化させる電磁コイル２と、ローター１に対向して配設され、磁化されたローター１に吸着されるアーマチュア３とを備えている。
アーマチュアボス３ａに形成された雌螺子３ｂと空調装置用圧縮機Ａの回転軸４先端部に形成された雄螺子４ａとが螺合している。
【０００８】
雄螺子４ａの回転軸４先端側の端部に隣接して周溝５が回転軸４に形成されている。周溝５にスナップリング６が嵌合している。スナップリング６はアーマチュアボス３ａの回転軸４先端側の端面に当接している。
図３に示すように、周溝５の回転軸４先端側の側面５ａは、周溝５の底面から開放端へ向けて裾広がりに傾斜している。スナップリング６の回転軸先端側端面の外周縁部６ａも傾斜しており、周溝５の傾斜した側面５ａと当接している。
【０００９】
上記動力伝達機構においては、図示しない無端ベルトを介して図示しない外部駆動源からローター１へ回転動力が伝達され、アーマチュア３の吸着部を介してローター１からアーマチュア３へ回転動力が伝達され、螺合締結部を介してアーマチュア３から圧縮機回転軸４に回転動力が伝達される。
【００１０】
外部駆動源のトルク変動により緩み方向のトルク変動がアーマチュア３に伝達され、アーマチュア３が緩み方向に移動しようとしてスナップリング６に回転軸４延在方向の力Ｆを印加すると、アーマチュア３は自らがスナップリング６を介して周溝５の傾斜した側面５ａに印加した垂直力Ｆｃｏｓθにより惹起された摩擦力μＦｃｏｓθのみならず、スナップリング６の弾性力Ｒが周溝５の傾斜した側面５ａに印加した垂直力Ｒｓｉｎθにより惹起された摩擦力μＲｓｉｎθをも移動に対する抵抗力として受けることになる。従って、スナップリング６の弾性力Ｒを適正値まで高めておけば、アーマチュア３と回転軸４との螺合締結部の緩みを防止することができる。
上記動力伝達機構が備えるアーマチュア３と回転軸４との螺合締結部構造は、螺合締結部の緩み防止のために複雑な螺子形成を必要としないので、特許文献１よりも簡便に、アーマチュア３と回転軸４との螺合締結部の緩みを防止することができる。
【産業上の利用可能性】
【００１１】
本発明は回転体と回転軸との締結構造に広く利用可能であり、また外部駆動源の回転動力を被駆動機器の回転軸に伝達する動力伝達機構であって、外部駆動源により回転駆動される回転体と被駆動機器の回転軸とが螺合締結された動力伝達機構に広く利用可能である。
【図面の簡単な説明】
【００１２】
【図１】本発明の実施例に係る回転体と回転軸との締結構造を備える動力伝達機構の断面図である。
【図２】図１の部分拡大図である。
【図３】図２の部分拡大図である。
【符号の説明】
【００１３】
１  ローター
２  電磁コイル
３  アーマチュア
３ａ  アーマチュアボス
３ｂ  雌螺子
４  圧縮機回転軸
５  周溝
５ａ  周溝の回転軸先端側の側面
６  スナップリング
６ａ  スナップリングの回転軸先端側端面の外周縁部
【図１】
2008138714.tif 000003
【図２】
2008138714.tif 000004
【図３】
2008138714.tif 000005